(57)【要約】【課題】河川水流の平均流速を高精度に測定できるだけでなく、安全性を確保し、省力化が期待できるＧＰＳ浮子による河川流況のモニタリングシステムを提供する。【解決手段】河川の水深に応じた最適な長さの吃水レベルを有し、ＧＰＳ衛星からの緯度・経度・標高などのＧＰＳ情報の信号を受信する受信手段と、該ＧＰＳ情報およびそのサンプリング時間などの観測データーを送信する送信手段および／または該観測データーを記録するデーターロガー等のデーター記録手段を納めた棒浮子と；上記観測データーを処理して、上記棒浮子の軌跡や河川水の流量・流向などの流況を計測する処理装置と；から成る。【選択図】図１
2007010394.tif 000002
【特許請求の範囲】
【請求項１】
河川の水深に応じた最適な長さの吃水レベルを有し、ＧＰＳ衛星からの緯度・経度・標高などのＧＰＳ情報の信号を受信する受信手段と、該ＧＰＳ情報およびそのサンプリング時間などの観測データーを送信する送信手段および／または該観測データーを記録するデーターロガー等のデーター記録手段を納めた棒浮子と；上記観測データーを処理して、上記棒浮子の軌跡や河川水の流量・流向などの流況を計測する処理装置と；から成ることを特徴とするＧＰＳ浮子による河川流況のモニタリングシステム。
【請求項２】
上記棒浮子が、その下部にバッテリーを備えていることを特徴とする請求項１に記載のＧＰＳ浮子による河川流況のモニタリングシステム。
【請求項３】
上記棒浮子が、上端部に吊フックを備えていることを特徴とする請求項１または２に記載のＧＰＳ浮子による河川流況のモニタリングシステム。
【請求項４】
上記棒浮子の送信手段から受信した観測データーを処理する処理装置が、サーバー、制御部およびパソコン等のデーター処理機を備えていることを特徴とする請求項１、２または３に記載のＧＰＳ浮子による河川流況のモニタリングシステム。
【発明の詳細な説明】
【技術分野】
【０００１】
本発明は、ＧＰＳ浮子により河川水の流量・流向などの河川流況をモニタリンするグシステム、すなわち、ＧＰＳ浮子による河川流況のモニタリングシステムに関する。
【背景技術】
【０００２】
従来、ＧＰＳによる流動体移動の計測システムとして、ＧＰＳ衛星からのデーターを受信する受信機と、該受信データーに基づくデーターを無線で送信する送信機とを内収し、水流の変動とともに一体移動する浮体を水面上に配し、浮体からの受信データーに基づいて浮体の位置座標又は変位を測定システムにより検出することにより、治水計画や河道計画に対してより正確で安価なデーターの計測装置を提供する技術があった。（例えば、特許文献１参照）
【０００３】
しかし、上記ＧＰＳによる流動体移動の計測システムは、水流の変動とともに一体移動する浮体が、河川水流の平均流速より遅い水面上を浮遊する中空の球体であるため、正確な流速を計測できないという問題点があった。
【特許文献１】特開２００１−４６４９号公報
【発明の開示】
【発明が解決しようとする課題】
【０００４】
本発明が解決しようとする課題は、河川水流の平均流速を高精度に測定できるだけでなく、安全性を確保し、省力化が期待できるＧＰＳ浮子による河川流況のモニタリングシステムを提供することにある。
【課題を解決するための手段】
【０００５】
本発明のＧＰＳ浮子による河川流況のモニタリングシステムは、河川の水深に応じた最適な長さの吃水レベルを有し、ＧＰＳ衛星からの緯度・経度・標高などのＧＰＳ情報の信号を受信する受信手段と、該ＧＰＳ情報およびそのサンプリング時間などの観測データーを送信する送信手段および／または該観測データーを記録するデーターロガー等のデーター記録手段を納めた棒浮子と；上記観測データーを処理して、上記棒浮子の軌跡や河川水の流量・流向などの流況を計測する処理装置と；から成ることを特徴とする。また、上記棒浮子が、その下部にバッテリーを備えていることを特徴とする。さらに、上記棒浮子が、上端部に吊フックを備えていることを特徴とする。更に又、上記棒浮子の送信手段から受信した観測データーを処理する処理装置が、サーバー、制御部およびパソコン等のデーター処理機を備えていることを特徴とする。
【発明の効果】
【０００６】
本発明のＧＰＳ浮子による河川流況のモニタリングシステムは、棒浮子の位置情報をＧＰＳにより高精度に把握することができるため、河川の平均水流を正確に測定することができ、しかも、人手を必要としないため、省力化となるだけでなく、特に洪水時には極めて安全に測定することができるという利点がある。また、棒浮子の下部に重いバッテリーを内蔵しているので、浮子が安定して流れる。さらに、棒浮子の上端部に吊フックを設けたので、浮子の回収が容易となる。
【発明を実施するための最良の形態】
【０００７】
図１は、本発明システムの一実施例を示すものであって、１は棒浮子、２は観測装置、３はＧＰＳ衛星である。
【０００８】
上記棒浮子１は、吃水レベルを持った筒状のポールであって、水深に応じて最適な吃水長さのものを選択して使用できるように、例えば、吃水レベル０．５ｍ、１ｍ、２ｍ、４ｍなど、各種のレベルのものが用意されている。
【０００９】
上記棒浮子１内には、図２に示すように、受信アンテナ１ａ、ＧＰＳ受信機１ｂ、送信機１ｃ、出力制御部１ｄ、データーロガー１ｅ、バッテリー１ｆが納められている。１ｇは吊フック、１ｈは着脱部である。
【００１０】
上記受信アンテナ１ａは、上記ＧＰＳ衛星３から緯度・経度・標高などのＧＰＳ情報の信号をキャッチする。上記ＧＰＳ受信機１ｂは受信アンテナ１ａによりキャッチされたＧＰＳ情報を受信する。上記送信機１ｃは、ＧＰＳ受信機１ｂにより受信されたＧＰＳ情報やそのサンプリング時間を、外部の上記観測装置２に無線で送る。また、上記データーロガー１ｅは、上記ＧＰＳ受信機１ｂのＧＰＳ情報やサンプリング時間を内部で記録する。上記出力制御部１ｄは、上記送信機１ｃおよびデーターロガー１ｅへのＧＰＳ情報の無線送信あるいは内部記録の操作をコントロールする。上記バッテリー１ｆは、上記各機器を動作させるための電力を供給する。上記吊フック１ｇは、例えば、棒浮子１を運搬したり水面に降ろしたり回収する際に使用される。上記着脱部１ｈにおいて、内部に収納される各機器を出し入れする際に、開閉する。
【００１１】
図１に示すように、上記観測装置２は、受信機２ａ、パソコン等のデーター処理機２ｂおよびバッテリー２ｃを備えている。上記受信機２ａは、インターネットなどの適当な通信網を通じ得られた上記ＧＰＳ情報やサンプリング時間を上記データー処理機２ｂに提供する。
上記データー処理機２ｂは、上記ＧＰＳ情報やサンプリング時間に基づいて得られた棒浮子１の軌跡から、任意の区間の流向や流速などの流況を計測して、例えば水面勾配の把握、湾曲箇所の特徴、橋脚箇所の特徴、支川合流箇所の特徴、堤防補強箇所の状況などの河道特性を得る。
【００１２】
次に、上記実施例のシステムによる河川流況のモニタリングについて説明する。
まず、図３に示すような浮子表を使用して、観測測線における水位に最適な吃水レベルの棒浮子１を選定し、観測区間の上流に投下する。
【００１３】
投下された棒浮子１は、ＧＰＳ衛星３からの緯度・経度・標高などのＧＰＳ情報の信号を受信アンテナ１ａによりキャッチして、そのＧＰＳ情報およびそのサンプリング時間を直ちに送信機１ｃから観測装置２の受信機２ａに送ると共に、内部のデーターロガー１ｅに記録する。このＧＰＳ情報のサンプリングは、流速等の流況に応じて適当な間隔（例えば、１秒間に３回）を選定する。
【００１４】
上記ＧＰＳ情報やサンプリング時間に基づいて得られた棒浮子１の軌跡から、任意の区間の流向や流速などの流況を計測して、例えば、河道特性、湾曲箇所の特徴、橋脚箇所の特徴、支川合流箇所の特徴、堤防補強箇所の状況などの河道特性を得る。なお、上記データーロガー１ｅに記録された観測データーも同様に処理される。
【００１５】
上記実施例の棒浮子１は、ＧＰＳ情報やサンプリング時間等のデーターを外部の観測装置２に無線で送信するための送信機１ｃを備えているが、これを省略して、データーロガー１ｅなどの内部記録手段に記録したデーターを取り出して、これをデーター処理装置により流況を計測処理させるだけでもよい。または、上記データーロガー１ｅの方を省略してもよい。
【００１６】
さらに、上記観測装置２は上記実施例に限定するものではなく、受信アンテナ、省電力受信機、ＧＰＳ受信機、パソコン等のデーター処理機などから構成してもよい。
【産業上の利用可能性】
【００１７】
本システムを使用して、短時間のうちに水位が変化する洪水時などにおいて、１日に何度でも安全かつ迅速に、しかも高精度に観測することができる。
【図面の簡単な説明】
【００１８】
【図１】本発明システムの一実施例を示す説明図である。
【図２】図１の棒浮子の構造を示す説明図である。
【図３】浮子表の一例を示す図である。
【符号の説明】
【００１９】
１    棒浮子
１ａ  受信アンテナ
１ｂ  ＧＰＳ受信機
１ｃ  送信機
１ｄ  出力制御部
１ｅ  データーロガー
１ｆ  バッテリー
１ｇ  吊フック
１ｈ  着脱部
２    観測装置
２ａ  受信機
２ｂ  データー処理機
２ｃ  バッテリー
３    ＧＰＳ衛星
【図１】
2007010394.tif 000003
【図２】
2007010394.tif 000004
【図３】
2007010394.tif 000005